(57)【要約】２つの端子（３，４）を有するスーパーキャパシタ（２）の形態のエネルギ蓄積装置のための積層パッケージ（１）。パッケージ（１）は、装置（２）を収納するためのキャビティ（６）を規定するためのポリエチレン（ＰＥ）の内部障壁層（５）を含む。層（５）は対向する２つの端縁（９）を有し、これらの端縁は互いに封止係合されそれらの間のキャビティから端子（３，４）が延びている。Ｎｕｃｒｅｌ（商標）樹脂のシーラント層（１１）が層と端子（３）との中間に配置される。外部障壁層（１２）は層（５）に接合され、アルミニウムの金属層（１３）を有する。
2004502320.tif 000002
【特許請求の範囲】
【請求項１】
２つの端子を有するエネルギ蓄積装置のための積層パッケージであって、前記パッケージは、
エネルギ蓄積装置を収納するためのキャビティを規定するための内側障壁層を含み、内側障壁層は、互いに封止係合されそれらの間で端子がキャビティから延びる２つの対向する部分を有し、さらに、
内側障壁層と端子との中間に配置されたシーラント層と、
内側障壁層に接合されかつ金属層を有する外側障壁層とを含む、積層パッケージ。
【請求項２】
前記シーラント層が約５％から１０％のエチレンアクリル酸を含有するＮｕｃｒｅｌ（商標）樹脂である、請求項１に記載のパッケージ。
【請求項３】
前記シーラント層が約６％から９％のエチレンアクリル酸を含有する、請求項２に記載のパッケージ。
【請求項４】
前記シーラント層が、１つ以上の無水マレイン酸、マレイン酸、１つ以上の無水物グラフト化ポリオレフィン、および１つ以上の酸変性ポリオレフィンのうちの１つを含有する、請求項１に記載のパッケージ。
【請求項５】
前記金属層がアルミニウムシートを含む、請求項１に記載のパッケージ。
【請求項６】
前記アルミニウムシートが厚さ３０μｍ未満である、請求項５に記載のパッケージ。
【請求項７】
前記アルミニウムシートが厚さ２５μｍ未満である、請求項５に記載のパッケージ。
【請求項８】
前記アルミニウム層が厚さ２０μｍ未満である、請求項５に記載のパッケージ。
【請求項９】
前記外側障壁層が、金属層の外側に接合された第１のプラスチック層を含む、請求項１に記載のパッケージ。
【請求項１０】
前記プラスチック層がＰＥＴである、請求項９に記載のパッケージ。
【請求項１１】
前記プラスチック層が厚さ４０μｍ未満である、請求項９に記載のパッケージ。
【請求項１２】
前記プラスチック層が厚さ３０μｍ未満である、請求項９に記載のパッケージ。
【請求項１３】
前記外側障壁層が、金属層の内側に接合された第２のプラスチック層を含む、請求項９に記載のパッケージ。
【請求項１４】
前記第２のプラスチック層が、ＰＥＴ、ポリアミド、ポリ塩化ビニリデン（ＰＶｄＣ）、およびポリプロピレン（ＰＰ）からなる群より選択される、請求項１３に記載のパッケージ。
【請求項１５】
前記第２のプラスチック層が厚さ約２０μｍ未満である、請求項１３に記載のパッケージ。
【請求項１６】
前記第２のプラスチック層が厚さ１５μｍ未満である、請求項１３に記載のパッケージ。
【請求項１７】
前記内側障壁層が、外側障壁層の内側に接合された第３のプラスチック層を含む、請求項１３に記載のパッケージ。
【請求項１８】
前記第３のプラスチック層がヒートシール可能であり、ＰＶｄＣおよびポリエチレン（ＰＥ）からなる群より選択される、請求項１７に記載のパッケージ。
【請求項１９】
前記第３のプラスチック層が厚さ約４０μｍ未満である、請求項１７に記載のパッケージ。
【請求項２０】
前記第３のプラスチック層が厚さ３０μｍ未満である、請求項１７に記載のパッケージ。
【請求項２１】
前記外側障壁層および前記内側障壁層がそれぞれ第１の融点および第２の融点を含み、第１の融点が第２の融点より高い、請求項１に記載のパッケージ。
【請求項２２】
前記パッケージが、内側障壁層が最も内側になるようにその長さに沿って折り畳まれる１枚の積層材料のシートから形成される、請求項１に記載のパッケージ。
【請求項２３】
前記折り畳まれたシートの少なくとも３つの端縁が接触かつヒートシールされる、請求項２２に記載のパッケージ。
【請求項２４】
前記パッケージが、隣接する周縁全体にわたって接触かつヒートシールされる２枚の別個の対向する積層体のシートから形成される、請求項１に記載のパッケージ。
【請求項２５】
シーラントを含む部分における前記積層体の厚さが１００μｍ未満である、請求項１に記載のパッケージ。
【請求項２６】
前記端子がアルミニウムであり、少なくとも５０μｍの厚さを有する、請求項１に記載のパッケージ。
【請求項２７】
前記端子が少なくとも１００μｍの厚さを有する、請求項１に記載のパッケージ。
【請求項２８】
前記端子が約５００μｍの厚さを有する、請求項１に記載のパッケージ。
【請求項２９】
前記端子が加熱されることにより、内側障壁層のヒートシーリングを補助する、請求項１に記載のパッケージ。
【請求項３０】
２つの端子を有するエネルギ蓄積装置のための積層パッケージを生成する方法であって、前記方法は、
内側障壁層とともに、エネルギ蓄積装置を収納するためのキャビティを規定するステップを含み、内側障壁層は、互いに封止係合されそれらの間で端子がキャビティから延びる２つの対向する部分を有し、さらに、
内側障壁層と端子との中間にシーラント層を配置するステップと、
外側障壁層を内側障壁層に接合するステップとを含み、外側障壁層は金属層を有する、方法。
【請求項３１】
２つの端子を有するエネルギ蓄積装置のための積層パッケージであって、前記パッケージは、
エネルギ蓄積装置を収納するためのキャビティを規定するための内側障壁層と、
内側障壁層と端子との間に配置され、かつ内側障壁層および端子と封止係合されたシーラント層と、
内側障壁層に接合されかつ金属層を有する外側障壁層とを含み、前記パッケージはエネルギ蓄積装置を密封して収納し、前記端子は、エネルギ蓄積装置への外部電気接続を可能にするためにパッケージの外側からアクセス可能である、積層パッケージ。
【請求項３２】
前記外側障壁層および前記内側障壁層がそれぞれ第１の融点および第２の融点を含み、第１の融点が第２の融点より高い、請求項３１に記載のパッケージ。
【請求項３３】
２つの端子を有するエネルギ蓄積装置のための積層パッケージを形成する方法であって、前記方法は、
内側障壁層により規定されるキャビティにエネルギ蓄積装置を収納するステップと、
内側障壁層と端子との間に、内側障壁層および端子と封止係合させてシーラント層を配置するステップと、
金属層を有する内側障壁層に外側障壁層を接合するステップとを含み、前記パッケージはエネルギ蓄積装置を密封して収納し、前記端子は、エネルギ蓄積装置への外部電気接続を可能にするためにパッケージの外側からアクセス可能である、方法。
【請求項３４】
２つの端子を有するエネルギ蓄積装置のための積層パッケージであって、前記パッケージは、
エネルギ蓄積装置を収納するためのキャビティを規定するための内側障壁層を含み、内側障壁層は第１の融点を有し、さらに、
内側障壁層と端子との間に配置され、かつ内側障壁層および端子と封止係合されたシーラント層を含み、シーラント層は第１の融点より低い第２の融点を有し、さらに、
内側障壁層に接合されかつ金属層を有する外側障壁層を含み、外側障壁層は第１の融点より高い第３の融点を有する、積層パッケージ。
【請求項３５】
２つの端子を有するエネルギ蓄積装置のための積層パッケージを生成する方法であって、前記方法は、
内側障壁層とともに、エネルギ蓄積装置を収納するためのキャビティを規定するステップを含み、内側障壁層は第１の融点を有し、さらに、
内側障壁層と端子との間に、内側障壁層および端子と封止係合させてシーラント層を配置するステップを含み、シーラント層は第１の融点より低い第２の融点を有し、さらに、
外側障壁層を内側障壁層に接合するステップを含み、外側障壁層は金属層を有し、かつ第１の融点より大きい第３の融点を有する、方法。
【請求項３６】
２つの端子を有するエネルギ蓄積装置のための積層パッケージであって、前記パッケージは、
エネルギ蓄積装置を収納するためのキャビティを規定するための内側障壁層を含み、内側障壁層は第１の融点を有し、さらに、
内側障壁層と端子との間に配置され、かつ内側障壁層および端子と封止係合されたシーラント層を含み、シーラント層は第１の融点より小さい第２の融点を有し、さらに、
内側障壁層に接合されかつ金属層を有する外側障壁層を含み、外側障壁層は第１の融点より大きい第３の融点を有する、積層パッケージ。
【請求項３７】
シーラント層と端子および内側障壁層の両者との間の封止係合は、熱的手段により影響される、請求項３６に記載のパッケージ。
【請求項３８】
前記熱的手段がパッケージに熱エネルギを与えることによりシーラント層を内側障壁層よりも軟化させる、請求項３７に記載のパッケージ。
【請求項３９】
熱エネルギを与えることにより、内側障壁層を外側障壁層よりも軟化させる、請求項３８に記載のパッケージ。
【請求項４０】
前記封止係合が、熱エネルギと層に与えられる圧縮力との組合せによっても影響される、請求項３７に記載のパッケージ。
【請求項４１】
２つの端子を有するエネルギ蓄積装置のための積層パッケージを生成する方法であって、前記方法は、
内側障壁層とともに、エネルギ蓄積装置を収納するためのキャビティを規定するステップを含み、内側障壁層は第１の融点を有し、
内側障壁層と端子との間に、内側障壁層および端子と封止係合させてシーラント層を配置するステップを含み、シーラント層は第１の融点より低い第２の融点を有し、さらに、
外側障壁層を内側障壁層に接合するステップを含み、外側障壁層は金属層を有し、かつ第１の融点より大きい第３の融点を有する、方法。
【発明の詳細な説明】
【０００１】
【発明の分野】
本発明は積層パッケージに関し、特に電荷蓄積装置のための積層パッケージに関する。
【０００２】
本発明は主にスーパーキャパシタのパッケージングのために開発されており、以降の説明はその適用例を参照して行なわれる。しかしながら、本発明はその特定の利用分野に限定されることはなく、たとえば電池などの他のエネルギ蓄積装置にも適用可能である。本発明はまた、一般にリチウムイオン電池、リチウムポリマー電池、ニッケル水素電池またはニッケルカドミウム電池と称されるような湿電池にも特に適している。
【０００３】
【先行技術の考察】
電池およびスーパーキャパシタの多くは電解質を使用している。これらの電解質は一般に腐食性であり、そうでなくとも危険であるので、それらが装置から浸み出たり漏れたりしないことが重要である。また、装置が適切に動作するためには、この電解質が酸素、水または他の物質により汚染されないことも重要である。これら両要因により、材料が装置に入ったり装置から出たりするのを防ぐために密封パッケージの使用が奨励されてきた。
【０００４】
エネルギ蓄積装置は、一般に、装置を対応の負荷または回路に電気的に接続可能にするための２つの外部電極を有する。パッケージ内部から外部へ端子を延ばす必要があるので、達成されているシールの有効性が損なわれてしまう。端子とともにヒートシールされたプラスチックの積層体を用いることによってパッケージのシーリングに影響を与える試みがなされているが、不十分な成果しか挙げられていない。たとえば、米国特許第５，４４５，８５６号には、多くの異なる層を含む電池のための積層パッケージが開示される。
【０００５】
この先行技術のパッケージの限定は、電荷蓄積装置、特にスーパーキャパシタからの電流の需要が多くなっていることにより、厳しくなっている。これらの需要に対して、該当のスーパーキャパシタの等価直列抵抗（ｅｓｔ）または該当の電池の内部抵抗が最小になるようにより厚い端子を用いる必要性が出てくる。しかしながら、この先行技術のパッケージは、これらのより厚い端子に対して必要なシーリングを可能にするのに適した特性を提供していない。
【０００６】
積層パッケージングが金属層を含むことも公知であり、また、電流漏れまたは端子とその金属層との間の短絡が原因でこのパッケージングが破損することも公知である。
【０００７】
本明細書全体を通じて行なわれる先行技術のいかなる考察も、このような先行技術が広く知られているということ、または当該分野で慣用の一般知識の部分を形成するということを承認するものとは決してみなされるべきでない。
【０００８】
【発明の開示】
本発明の目的は、先行技術の少なくとも１つの欠点を克服もしくは改善すること、または有用な代替策を提供することである。
【０００９】
本発明の第１の局面によれば、２つの端子を有するエネルギ蓄積装置のための積層パッケージが提供され、このパッケージは、
エネルギ蓄積装置を収納するためのキャビティを規定するための内側障壁層を含み、内側障壁層は、互いに封止係合されそれらの間で端子がキャビティから延びる２つの対向する部分を有し、さらに、
内側障壁層と端子との中間に配置されたシーラント層と、
内側障壁層に接合されかつ金属層を有する外側障壁層とを含む。
【００１０】
好ましくは、シーラント層は約５％から１０％のエチレンアクリル酸を含有するＮｕｃｒｅｌ（商標）樹脂である。より好ましくは、この接着剤は約６％から９％のエチレンアクリル酸を含有する。
【００１１】
他の実施例では、シーラント層は、無水マレイン酸、１つ以上の無水物グラフト化ポリオレフィン、および１つ以上の酸変性ポリオレフィンのうちの１つを含有する。
【００１２】
また好ましくは、金属層はアルミニウムシートを含む。より好ましくは、このアルミニウム層は厚さ３０μｍ未満である。さらに好ましくは、このアルミニウム層は厚さ２５μｍ未満である。いくつかの実施例では、このアルミニウム層は厚さ２０μｍ未満である。
【００１３】
好ましい形態では、外側障壁層は金属層の外側に接合された第１のプラスチック層を含む。より好ましくは、このプラスチック層はＰＥＴである。さらに好ましくは、このプラスチック層は厚さ４０μｍ未満である。また好ましくは、このプラスチック層は厚さ３０μｍ未満である。
【００１４】
また好ましくは、外側障壁層は金属層の内側に接合された第２のプラスチック層を含む。より好ましくは、この第２のプラスチック層は、ＰＥＴ、ポリアミド、ポリ塩化ビニリデン（ＰＶｄＣ）およびポリプロピレン（ＰＰ）からなる群より選択される。
【００１５】
好ましくは、第２のプラスチック層は厚さ約２０μｍ未満である。より好ましくは、第２のプラスチック層は厚さ約１５μｍ未満である。
【００１６】
また好ましくは、内側障壁層は、外側障壁層の内側に接合された第３のプラスチック層を含む。より好ましくは、この第３のプラスチック層はヒートシール可能であり、ＰＶｄＣとポリエチレン（ＰＥ）とからなる群より選択される。
【００１７】
また好ましくは、第３のプラスチック層は厚さ約４０μｍ未満である。より好ましくは、第３のプラスチック層は厚さ約３０μｍ未満である。
【００１８】
好ましくは、外側障壁層および内側障壁層はそれぞれ第１の融点および第２の融点を含み、第１の融点は第２の融点より高い。
【００１９】
好ましい形態では、上記パッケージは、内側障壁層が最も内側になるようにその長さに沿って折り畳まれる１枚の積層材料のシートから形成され、この折り畳まれたシートの少なくとも３つの端縁が接触かつヒートシールされている。別の実施例では、上記パッケージは隣接する周縁全体にわたって接触かつヒートシールされる２枚の別個の対向する積層体のシートから形成される。
【００２０】
好ましくは、シーラントを含む部分における積層体の厚さは１００μｍ未満である。すなわち、外側障壁層の外側とシーラントの内側との距離は１００μｍ未満である。
【００２１】
また好ましくは、上記端子はアルミニウムであり、少なくとも５０μｍの厚さを有する。しかしながら、他の実施例では、これらの端子は少なくとも１００μｍの厚さを有する。特に高い電流が引き出されるいくつかの実施例においては、これらの端子は約５００μｍの厚さを有する。
【００２２】
好ましい形態では、上記端子は加熱されることにより内側障壁層のヒートシーリングを補助する。
【００２３】
本発明の第２の局面によれば、２つの端子を有するエネルギ蓄積装置のための積層パッケージを生成する方法が提供され、この方法は、
内側障壁層とともに、エネルギ蓄積装置を収納するためのキャビティを規定するステップを含み、内側障壁層は、互いに封止係合されそれらの間で端子がキャビティから延びる２つの対向する部分を有し、さらに、
内側障壁層と端子との中間にシーラント層を配置するステップと、
外側障壁層を内側障壁層に接合するステップとを含み、外側障壁層は金属層を有する。
【００２４】
本発明の第３の局面によれば、２つの端子を有するエネルギ蓄積装置のための積層パッケージが提供され、このパッケージは、
エネルギ蓄積装置を収納するためのキャビティを規定するための内側障壁層と、
内側障壁層と端子との間に配置され、かつ内側障壁層および端子と封止係合されたシーラント層と、
内側障壁層に接合されかつ金属層を有する外側障壁層とを含み、上記パッケージはエネルギ蓄積装置を密封して収納し、上記端子は、エネルギ蓄積装置への外部電気接続を可能にするためにパッケージの外側からアクセス可能である。
【００２５】
好ましくは、外側障壁層および内側障壁層はそれぞれ第１の融点および第２の融点を含み、第１の融点が第２の融点より高い。
【００２６】
本発明の第４の局面によれば、２つの端子を有するエネルギ蓄積装置のための積層パッケージを形成する方法が提供され、この方法は、
内側障壁層により規定されるキャビティにエネルギ蓄積装置を収納するステップと、
内側障壁層と端子との間に、内側障壁層および端子と封止係合させてシーラント層を配置するステップと、
金属層を有する内側障壁層に外側障壁層を接合するステップとを含み、上記パッケージはエネルギ蓄積装置を密封して収納し、上記端子は、エネルギ蓄積装置への外部電気接続を可能にするためにパッケージの外側からアクセス可能である。
【００２７】
本発明の第５の局面によれば、２つの端子を有するエネルギ蓄積装置のための積層パッケージが提供され、このパッケージは、
エネルギ蓄積装置を収納するためのキャビティを規定するための内側障壁層を含み、内側障壁層は第１の融点を有し、さらに、
内側障壁層と端子との間に配置され、かつ内側障壁層および端子と封止係合されたシーラント層を含み、シーラント層は第１の融点より低い第２の融点を有し、さらに、
内側障壁層に接合されかつ金属層を有する外側障壁層を含み、外側障壁層は第１の融点より高い第３の融点を有する。
【００２８】
本発明の第６の局面によれば、２つの端子を有するエネルギ蓄積装置のための積層パッケージを生成するための方法が提供され、この方法は、
内側障壁層とともに、エネルギ蓄積装置を収納するためのキャビティを規定するステップを含み、内側障壁層は第１の融点を有し、さらに、
内側障壁層と端子との間に、内側障壁層および端子と封止係合させてシーラント層を配置するステップを含み、シーラント層は第１の融点より低い第２の融点を有し、さらに、
外側障壁層を内側障壁層に接合するステップを含み、外側障壁層は金属層を有し、かつ第１の融点より大きい第３の融点を有する。
【００２９】
本発明の第７の局面によれば、２つの端子を有するエネルギ蓄積装置のための積層パッケージが提供され、このパッケージは、
エネルギ蓄積装置を収納するためのキャビティを規定するための内側障壁層を含み、内側障壁層は第１の融点を有し、さらに、
内側障壁層と端子との間に配置され、かつ内側障壁層および端子と封止係合されたシーラント層を含み、シーラント層は第１の融点より小さい第２の融点を有し、さらに、
内側障壁層に接合されかつ金属層を有する外側障壁層を含み、外側障壁層は第１の融点より大きい第３の融点を有する。
【００３０】
好ましくは、シーラント層と端子および内側障壁層の両者との間の封止係合は、熱的手段により影響される。より好ましくは、この熱的手段が熱エネルギをパッケージに与えることによりシーラント層を内側障壁層よりも軟化させる。さらに好ましくは、この熱エネルギを与えることにより、内側障壁層を外側障壁層よりも軟化させる。
【００３１】
また好ましくは、封止係合は、熱エネルギと層に与えられる圧縮力との組合せによっても影響される。より好ましくは、その組合せによりいずれの端子も金属層と直接接触することはない。
【００３２】
本発明の第８の局面によれば、２つの端子を有するエネルギ蓄積装置のための積層パッケージを生成する方法が提供され、この方法は、
内側障壁層とともに、エネルギ蓄積装置を収納するためのキャビティを規定するステップを含み、内側障壁層は第１の融点を有し、
内側障壁層と端子との間に、内側障壁層および端子と封止係合させてシーラント層を配置するステップを含み、シーラント層は第１の融点より低い第２の融点を有し、さらに、
外側障壁層を内側障壁層に接合するステップを含み、外側障壁層は金属層を有し、かつ第１の融点より大きい第３の融点を有する。
【００３３】
ここで本発明の好ましい実施例を、単に例示の目的で、添付の図面を参照して説明する。
【００３４】
【発明の実施の形態の詳細な説明】
図面、特に図１を参照して、エネルギ蓄積装置のための積層パッケージ１が２つの端子３および４を有するスーパーキャパシタ２の形態で表わされる。図１と図３とを組合せると最もよくわかるように、パッケージ１は、装置２を収納するためのキャビティ６を規定するためのポリエチレン（ＰＥ）の内側障壁層５を含む。層５は２つの対向する端縁９を有し、それらの端縁は互いに封止係合され、それらの間で端子３および４がキャビティから延びる。Ｎｕｃｒｅｌ（商標）樹脂のシーラント層１１が層と端子３との中間に配置される。外側障壁層１２が層５に接合され、アルミニウムの金属層１３を有する。
【００３５】
層１１は、約６％のエチレンアクリル酸（ＥＡＡ）を含有するＮｕｃｒｅｌ（商標）樹脂である。ただし他の実施例では異なる割合のＥＡＡが用いられることもあるが、これは約５％から１０％の範囲内に収められるのが好ましい。
【００３６】
層１３は厚さ約２０μｍであり、１枚のアルミニウムのシートから構成される。これにより、積層体を通ってキャビティ６内への汚染物質が入ることおよびキャビティから電解質が出ることに対する障壁がもたらされる。
【００３７】
他の実施例では、層１３は異なる厚さを有するが、好ましくは厚さ３０μｍ未満である。
【００３８】
層１２はまた、層１３の外側に接合されたＰＥＴの第１のプラスチック層１４も含む。層１４は厚さ約３０μｍであるが、他の実施例では厚さ約４０μｍである。
【００３９】
層１２はまた、層１３の内側に接合されたポリプロピレン（ＰＰ）の第２のプラスチック層１５も含む。他の実施例では、層１５は、ＰＥＴ、ポリアミドおよびポリ塩化ビニリデン（ＰＶｄＣ）からなる群より選択される。
【００４０】
層１５は厚さ約１５μｍであるが、他の実施例では、層１５は厚さ約２０μｍである。
【００４１】
図示されるように、層５は層１５の内側に接合され、厚さ約３０μｍである。ただし、代替的実施例では、層１５は厚さ約４０μｍである。
【００４２】
層５はヒートシール可能であるので、さまざまな代替材料が利用可能である。たとえば、他の実施例では、層５はＰＶｄＣおよびポリエチレン（ＰＥ）からなる群より選択される材料で構成される。
【００４３】
層１５および層５はそれぞれ第１の融点および第２の融点を含み、第１の融点が第２の融点より高い。
【００４４】
パッケージ１は１枚の積層体材料のシートから形成されており、このシートは層５が最も内側になるようにその長さに沿って折り畳まれる。端子３および４に直接隣接している部分には、さらなる層１１が含まれる。折り畳まれたシートの３つの対向する端縁はその後、接触かつヒートシールされ、端子を挟み込む。層１１は隣接する層５に端子３および４をシールするのに特に適しており、またキャビティから電解質のキャビティ内への汚染物質の通路に対する障壁をもたらすのに適している。
【００４５】
他の実施例では、このパッケージは２枚の別個の対向する積層体のシートから形成されており、これらは隣接する周縁全体に対して接触かつヒートシールされている。
【００４６】
シーラントを含む部分における積層体の厚さは１００μｍ未満である。すなわち、層１４の外側と層１１の内側との距離は１００μｍ未満である。
【００４７】
端子３および４はアルミニウムであり、約５００μｍの厚さおよび約８ｍｍの幅を有する。これらの端子は約１００Ａｍｐの短期ピーク電流を保持するよう意図されている。より低いピーク電流を供する装置では、端子は約１００μｍの厚さを有する。
【００４８】
端子３および４は層５のヒートシーリング中に加熱され、層１１の形成を補助する。
【００４９】
代替的な積層体が図４に示され、ここでは対応する特徴部分は対応の参照番号で示される。この実施例では、層の構成は以下のようになっている。
【００５０】
・層５：ＰＶｄＣ
・層１１：Ｎｕｃｒｅｌ（商標）樹脂
・層１３：アルミニウム
・層１４：ＰＥＴ
・層１５：ＰＥＴ
好ましい実施例の薄い積層体により、特に端子周囲の領域におけるキャビティ内へ材料が入ることおよびキャビティ外へ材料が出ることに対して、必要な障壁特性が提供される。すなわち、積層体が薄いので、より端子に合うように曲がることが可能である。層５の融点が低いことは、そのビカット軟化温度が高いこととともに、この点において大きな助けとなる。
【００５１】
さらに、層５は層１５より低い融点を有するので、ヒートシーリング動作中にタブがアルミニウム層に対して短絡する危険性がかなり減じられる。
【００５２】
本発明のさらなる実施例は以下の例で表される。本実施例の層の説明は、パッケージの外側の層から始まりパッケージの内側層へと進む。
【００５３】
１）　ポリアミドまたはポリエステル。好ましくはナイロンまたはＰＥＴ。これは、
ａ）　プリンティングを受入れる準備としてのコロナ処理に対して開放されており、
ｂ）　酸素または他の汚染物質が積層体を通って入ってくる速度を遅らせる、という２つの主な利点を有する。
【００５４】
２）　結合層（ｔｉｅ ｌａｙｅｒ）。好ましくは、これはポリウレタンである。
３）　アルミニウム層、または他の金属。アルミニウムは比較的安価で容易に入手可能であるので好ましい。アルミニウムの好ましい厚さは約２０から５０μｍの範囲であり、より好ましくは４０から５０μｍの範囲である。このシートは可鍛性を持たせるようにアニーリングされ、以下の２つの主な利点を有する。
【００５５】
ａ）　より可鍛性であることにより、積層体はより折り畳みやすくなり、またその折り畳まれた形状をよりよく保つことができる。これが、パッケージのシーリングを助けることになる。
【００５６】
ｂ）　アルミニウムまたは金属がより厚いほど、その中のピンホールの数が少なくなる。したがって、酸素、水または他の汚染物質が金属層を通って浸透する可能性がより少なくなる。
【００５７】
４）　結合層。
５）　電気的短絡の保護を提供するポリマー。好ましくは、ポリエチレンもしくはポリプロピレンのうちの１つのようなポリオレフィンか、または代替的にはＰＥＴもしくはナイロンが用いられる。その他の本来非導電性のポリマーが他の実施例において用いられる。
【００５８】
６）　結合層。
７）　シーラント層。これは他の層の性質に依存して厚さが変化することになる。好ましくは、アクリル酸を約１０％含有するある等級のＮｕｃｒｅｌ（商標）が用いられる。しかしながら、他の実施例では、無水マレイン酸グラフト化ポリプロピレンが用いられる。さらなる実施例では、酸エッチングされたポリオレフィンが用いられる。シーラント層の厚さは端子の厚さに大きく依存する。
【００５９】
結合層以外のすべての層が厚さ１５から１００μｍであるのが好ましく、結合層は一般に厚さ１から１０μｍである。
【００６０】
以下にいくつかの特定の積層体および層の厚さを示すが、これらの層もまた、外側から内側へと示される。
【００６１】
【表１】
2004502320.tif 000003
【００６２】
本発明は特定の例を参照して述べられてきたが、当業者にはこれが他の多くの形態で具体化され得ることがわかるであろう。
【図面の簡単な説明】
【図１】本発明に従ったエネルギ蓄積装置のための積層パッケージの、部分的に切断された概略斜視図である。
【図２】図１のエネルギ蓄積装置の端子の１つの、拡大された概略上面図である。
【図３】図２の線３−３に沿って切った概略断面図である。
【図４】代替的な積層体の概略断面図である。
【国際公開パンフレット】
2004502320.tif 000004
2004502320.tif 000005
2004502320.tif 000006
2004502320.tif 000007
2004502320.tif 000008
2004502320.tif 000009
2004502320.tif 000010
2004502320.tif 000011
2004502320.tif 000012
2004502320.tif 000013
2004502320.tif 000014
2004502320.tif 000015
2004502320.tif 000016
2004502320.tif 000017
2004502320.tif 000018
2004502320.tif 000019
2004502320.tif 000020
2004502320.tif 000021
2004502320.tif 000022
2004502320.tif 000023
2004502320.tif 000024
2004502320.tif 000025
2004502320.tif 000026
2004502320.tif 000027
2004502320.tif 000028
2004502320.tif 000029
【国際調査報告】
2004502320.tif 000030
2004502320.tif 000031